(57)【特許請求の範囲】
【請求項１】
被測定者の心拍情報に基づき、心拍間隔をｘ＝ｙの２次元直交グラフ上において、基準とする心拍間隔を一方の前記ｘ軸上の値とし、該基準とする心拍間隔の一拍前あるいは後の心拍間隔をもう一方のｙ軸上の値として２次元直交グラフ上にプロットする心拍間隔プロット表示手段と、性別ボタン，年代ボタン，確定ボタンを有する被測定者情報入力部、制御部と、を備え、
前記性別ボタン，前記年代ボタンで入力された情報に基づく平均的心拍間隔プロット分布領域を記憶する平均的心拍間隔プロット分布領域記憶手段とを有する心拍間隔表示装置であって、
前記被測定者情報入力部は、漢字表示可能なドットマトリックス液晶を更に備え、
前記漢字表示可能なドットマトリックス液晶により、操作手順が表示され、
前記制御部により、前記性別ボタン，前記年代ボタンで入力された前記性別，前記年代別の被測定者情報に基づき前記平均的心拍間隔プロット分布領域を、前記ドットマトリックス液晶に前記ｘ＝ｙの直線に対称な等脚台形の図形として描画し、その後、リアルタイムで測定された前記被測定者の心拍間隔プロットの描画を重畳表示するように制御することを特徴とする心拍間隔表示装置。
【請求項２】
前記性別、年代別の情報の他に、前記情報として喫煙量、飲酒量、測定時の体位、運動量またはカロリー消費量、体脂肪率、体重、血糖値、尿糖値、血圧値、脂質代謝量のうち一つあるいはこれらを複合的に用いることを特徴とする請求項１に記載の心拍間隔表示装置。
【発明の詳細な説明】
【０００１】
【発明の属する技術分野】
本発明は、心電波形等の生体信号に基づいて心拍間隔を２次元グラフに表示する心拍間隔表示方法およびその方法を用いた心拍間隔表示装置に関する。
【０００２】
【従来の技術】
被測定者が自分の心臓の状態を確認する方法として、心電波形や光電脈波などから生体の心拍や脈拍を測定し、瞬時心拍数やそのトレンドグラフを表示する心拍（脈拍）モニター方法およびその方法を用いた装置が以前より存在していた。その一方法として、交感神経と心臓迷走神経の亢進状態を評価するために、隣り合った二つのR-R間隔（心拍間隔）において、はじめのR-R間隔を横軸の座標に、次のR-R間隔を縦軸の座標とする点をプロットする操作を１拍づつオーバーラップしながら連続するR-R間隔について繰り返し処理する方法（ポアンカレプロット：Therapeutic Research Vol.17 No.1 1996「心拍ゆらぎと自律神経」216ページ参照）がある。図７、８にR-R間隔の心拍間隔表示方法（ポアンカレプロット方法）について図示する。図７に示すような心電波形が収集された場合、まず心電波形で各拍内でのＲ波の位置を同定する。図７ではその位置をＲ１、Ｒ２、Ｒ３、Ｒ４とする。Ｒ１からＲ２までの時間をＴ２１、Ｒ２からＲ３までの時間をＴ３２、Ｒ３からＲ４までの時間をＴ４３とすると、図８に示すように、まず横軸の値をＴ３２、縦軸の値をＴ２１とする点にプロットする。続いて横軸をＴ４３、縦軸をＴ３２とする点にプロットする。この処理を連続するR-R間隔のデータに関して行えば、２次元グラフ上に心拍間隔のゆらぎ具合がプロットされることになる。心拍間隔が一定ではないとグラフ上のプロット領域が広がり、心拍間隔が一定に近づくとグラフ上のプロット領域が狭まることになる。
【０００３】
心拍間隔プロットグラフであるポアンカレプロットでは、図９のａ〜ｃに示すように、プロットのパターンで心臓状態を示唆することが可能である。図９ａは正常者の典型的なデータであり彗星のような形状となる。図９ｂは心不全患者のデータであり図９ａに比べてゆらぎ成分が少なくなると同時に魚雷のような形になる。図９ｃは心不全患者のデータであるが、不整脈が多く出現しているデータでプロットパターンは複雑になっている。（Therapeutic Research Vol.17 No.1 1996「心拍ゆらぎと自律神経」参照）
【０００４】
また心拍のゆらぎ度合いは、Therapeutic Research Vol.17 No.1 1996「心拍ゆらぎと自律神経」などで示されているように、加齢や飲酒・喫煙量などによって変化することも知られている。加齢などによって心拍のゆらぎが少なくなる傾向があり、これにより心拍間隔プロット分布（ポアンカレプロット分布）は、グラフのｘ＝ｙの直線に近づくことになる。
【０００５】
【発明が解決しようとする課題】
しかしながら、被測定者の心拍間隔データを心拍間隔プロット（ポアンカレプロット）表示し、被測定者の絶対的な心拍ゆらぎの度合いは直感的に把握できたとしても、例えば被測定者の年齢を考慮した場合、被測定者の年代の平均的な心拍ゆらぎ度合いに比べて被測定者のゆらぎ度合いを相対的に判断する明確な手だてが無かった。
【０００６】
このような問題は、被測定者の年齢というパラメータのみではなく、被測定者の日常的な飲酒量・喫煙量、定期的なスポーツの実施など被測定者の日常生活などの傾向や、体脂肪率・体重・血糖値・尿糖値・血圧値・脂質代謝量などの生体情報を加味した上での、被測定者の心拍ゆらぎの相対的な判断を行う際にも発生してしまう。
【０００７】
本発明はこのような問題点を鑑み、心拍ゆらぎの度合いをより客観的かつ直感的に判断可能とするために、被測定者の心拍間隔プロット（ポアンカレプロット）の分布状況が、被測定者が含まれる平均的対象群の分布とどのように異なるかを把握させることが可能となる。
【０００８】
【課題を解決するための手段】
上記目的を達成するものは、被測定者の心拍情報に基づき、心拍間隔をｘ＝ｙの２次元直交グラフ上において、基準とする心拍間隔を一方の前記ｘ軸上の値とし、基準とする心拍間隔の一拍前あるいは後の心拍間隔をもう一方のｙ軸上の値として２次元直交グラフ上にプロットする心拍間隔プロット表示手段と、性別ボタン，年代ボタン，確定ボタンを有する被測定者情報入力部、制御部と、を備え、性別ボタン，年代ボタンで入力された情報に基づく平均的心拍間隔プロット分布領域を記憶する平均的心拍間隔プロット分布領域記憶手段とを有する心拍間隔表示装置であって、被測定者情報入力部は、漢字表示可能なドットマトリックス液晶を更に備え、漢字表示可能なドットマトリックス液晶により、操作手順が表示され、制御部により、性別ボタン，年代ボタンで入力された性別，年代別の被測定者情報に基づき平均的心拍間隔プロット分布領域を、ドットマトリックス液晶にｘ＝ｙの直線に対称な等脚台形の図形として描画し、その後、リアルタイムで測定された被測定者の心拍間隔プロットの描画を重畳表示するように制御することを特徴とする。
【０００９】
また、上記目的を達成するものは、被測定者の心拍情報に基づき、心拍間隔を２次元直交グラフ上において、基準とする心拍間隔を一方の軸上の値とし、該基準とする心拍間隔の一拍前あるいは後の心拍間隔をもう一方の軸上の値として２次元直交グラフ上にプロットする心拍間隔プロット表示手段と、被測定者の特徴情報を入力する情報入力手段と、前記特徴情報に基づく平均的心拍間隔プロット分布領域を複数記憶する平均的心拍間隔プロット分布領域記憶手段とを有し、前記情報入力手段に基づいて対応する平均的心拍間隔プロット分布領域を選択的に前記表示手段に被測定者の心拍間隔プロットに重畳表示することを特徴とする心拍間隔表示装置である。
【００１０】
また、前記特徴情報として、性別、年齢または年代、喫煙量、飲酒量、測定時の体位、運動量またはカロリー消費量、体脂肪率、体重、血糖値、尿糖値、血圧値、脂質代謝量のうち一つあるいはこれらを複合的に用いることが好ましい。
【００１１】
また、前記平均的心拍間隔プロット分布領域記憶手段は、グラフの複数の点情報を座標値として記憶し、前記重畳表示する際には前記点情報を線で結ぶ処理を行うことが好ましい。
【００１２】
【発明の実施の形態】
以下に図面を参照しながら本発明に係わる好適実施例に関して詳細に説明する。
【００１３】
図１は、本発明に関わる実施例での心拍間隔表示装置３００の構成を示す図である。図１において、３１０は生体電極であり、被測定者１００からの生体信号（心電波形）を検出する。銀・塩化銀やカーボンなど従来の心電計などの電極素材で構成されているものとする。
【００１４】
図示していない測定開始スイッチを押下することで測定が開始するものとし、測定の前には生体電極３１０が被測定者１００に接触されており、測定開始と同時に心電波形が生体電極から収集できるものとする。なお図示してない測定終了ボタンを押下することで測定を終了しても良いし、測定開始スイッチが押下されてから一定時間を計時後自動的に終了しても良い。また生体電極が被測定者から外れたか否かを調べ、電極が外れ一定時間経過すると測定を終了としても良い。
【００１５】
まず測定が開始状態になると、制御部３５０は心拍間隔記憶部３６０の情報を初期化する処理を行う。
【００１６】
生体電極３１０で検出された生体からの心電信号は、直接解析するには微弱なためアンプ３２０において増幅され、心拍検出部３３０に送られる。心拍検出部３３０は、ディジタルフィルタなどで構成され、ノイズや波形の基線変動成分などの除去フィルタと共に、心電波形のうちR-R間隔を検出するための適切なバンドパス処理を行う。
【００１７】
心拍検出部３３０で処理が行われた信号は、続いて心拍間隔検出部３４０に送られる。心拍間隔検出部では、心拍間隔を検出するために計時機能を具備しており、心拍検出部３３０からの信号の閾値検出を行い、閾値を超えた時点の時間を計時機能を用いて記憶し、次に閾値を下回り後に再び閾値を超えた時間間隔を心拍間隔として制御部３５０に出力する。
【００１８】
図２にアンプ３２０から出力された波形を心拍間隔データとして制御部に出力するためのデータ加工の一例を示す。図２において４１０は、アンプ３２０から出力される心電波形であり、基線の変動や高周波のノイズが重畳されている場合が多い。基本的に基線変動はハイパスフィルタ、高周波ノイズはローパスフィルタを通過させることによって４２０のようなノイズ成分が除去された信号になる。１７Hz付近を中心とするようバンドパスフィルタを通過させることによって、心電波形のR波を抽出することができ、この処理によって、４２０の波形が４３０の波形に変換される。４３０の波形に対して閾値を設定し（図中波線で示したレベル）、閾値を超えた時点での時刻（msec単位）を記憶する（図中t1）。以降閾値を下回ってから再び閾値を超えた時点の時刻を記憶し（図中t2）、この二つの時刻の間隔（t2-t1）を心拍間隔として出力する。この時点でt1のデータは不要になるため、記憶情報からクリアしてもよい。次に閾値を下回ってから再び閾値を超えた時点の時刻を記憶し（図中t3）、前に閾値を超えた時刻t2との間隔(t3-t2)を次の心拍間隔として出力する。
【００１９】
こうして順次アンプから得られた信号から、心拍間隔のデータを出力することが可能となる。本実施例では、心拍検出および心拍間隔検出のフィルタ部分をディジタル回路として例を示したが、マイクロコンピュータなどを用いて信号処理アルゴリズムをプログラム化してソフトウェアとして処理しても、同様の結果が得られるし、一部の機能を回路構成し、残りの部分をソフトウェアで制御することも可能である。
【００２０】
心拍間隔検出部３４０で検出された心拍間隔データは、順次制御部３５０に送られる。制御部３５０では、心拍間隔検出部３４０から順次送られる心拍間隔データを心拍間隔記憶部３６０に定められたフォーマットに基づき記憶していく。
前述したような方式を用いて心拍間隔は、リアルタイムでプロット表示されることが好ましい。
【００２１】
制御部は、測定を開始する前に被測定者情報入力部３７０に被測定者情報を入力するように促す。
【００２２】
図３に被測定者情報入力部の一例を示す。図３において５１０は漢字表示可能なドットマトリクス液晶、５２０は被測定者の性別情報を男と入力する場合に押下する性別１ボタン、５３０は同様に女と入力する場合に押下する性別２ボタン、５４０は被測定者の年齢が２０歳以下という情報を入力する場合に押下する年代１ボタン、５５０は同様に２１〜３０歳という情報を入力する場合に押下する年代２ボタン、５６０は同様に３１〜５０歳という情報を入力する年代３ボタン、５７０は同様に５１歳以上という情報を入力する場合に押下する年代４ボタン、５８０は被測定者の性別および年代を各ボタンを押下した後にその情報を確定する場合に押下する確定ボタン、５９０は被測定者の性別や年代の確定を中断する場合に押下する中断ボタンである。
【００２３】
制御部３５０から被測定者情報入力部３７０へ被測定者の情報入力を促す信号を入力すると、被測定者情報入力部３７０では、ドットマトリクス液晶５１０に“被測定者の性別（男／女）のボタンを押して下さい。”と表示し、操作者の操作を待つ。仮に被測定者が４５歳の男性であった場合、操作者は性別１ボタン５２０を押下することになる。性別１ボタン５２０、または性別２ボタン５３０のいずれかが押下された信号が入力されると、ドットマトリクス液晶５１０に“被測定者の年代のボタンを押して下さい。”と表示し、再び操作者の操作を待つ。この例では、操作者は年代３ボタン５６０を押下することになる。
【００２４】
性別の確定情報および年代の確定情報が入力されると、ドットマトリクス液晶５１０に“確定ボタンを押して下さい。”と表示する。この際同時に押下された性別・年代の情報を合わせてドットマトリクス液晶５１０上に表示すると操作者の誤入力を防止することができる。この例では、ドットマトリクス液晶５１０に“３１〜５０歳男性です。よろしければ確定ボタンを押して下さい。”とする。
【００２５】
また情報の入力を中断する場合には、中断ボタン５９０を押下すればよい。
【００２６】
上述の例では、入力の確認をドットマトリクス液晶を用いて行ったが、性別・年代の各ボタンをLEDが組み込まれたメンブレンスイッチなどにすることもできる。性別ボタンと年代ボタンの計６つのボタンすべてにLEDを組み込み、制御部３５０から被測定者情報入力部３７０へ被測定者の情報入力を促す信号が入力されると６つのボタンのLEDが消えた状態になるものとする。この状態で性別１ボタンが押下されると性別１ボタンに組み込まれたLEDが点灯するようにし、この状態で性別２ボタンが押下されると性別１ボタンのLEDが消え、性別２ボタンに組み込まれたLEDが点灯するように、性別１ボタンと性別２ボタンで新しく押下されたボタンのLEDが点灯し、そうではないボタンのLEDが消えるようにする。このような操作によって操作の誤入力を減らすことが可能となる。年代ボタンにおいても、複数の年代ボタンの内、最新に押下されたLEDのみが点灯し、それ以外のボタンのLEDを消えるようにすることも可能である。
【００２７】
このように、制御部３５０から被測定者情報入力部３７０へ被測定者の情報入力を促す信号が入力されることにより、上述のような操作が行われ、最終的に被測定者情報入力部３７０では確定ボタン５８０か、中断ボタン５９０が入力された信号が制御部３５０に戻る。なお確定ボタン５８０が入力された場合は、押下された性別と年代のボタンの情報も合わせて制御部３５０に戻る。
【００２８】
被測定者情報入力が確定した場合、心拍間隔プロットグラフ（ポアンカレプロットグラフ）上、図４に示すようなｘ＝ｙの直線に対象な等脚台形が描画されていれば、被測定者の心拍間隔プロットグラフ（ポアンカレプロット）の分布状況が、被測定者が含まれる平均的グラフプロット対象群の分布とどのように異なるかを把握可能である。図４に示した等脚台形が被測定者が含まれる性別・年代の平均的な心拍間隔プロット（ポアンカレプロット）の分布領域のアウトラインと考え、被測定者の心拍間隔プロット（パアンカレ）分布が、等脚台形の図形より外側にはみ出していれば、同姓・同年代の平均的な分布に比べて、被測定者の心拍ゆらぎが大きいことを示している。
【００２９】
また、逆に被測定者の心拍間隔プロット（ポアンカレプロット）分布が、等脚台形の図形のかなり内側に分布している場合には、同姓・同年代の平均的な分布に比べて、被測定者の心拍ゆらぎが小さいことを示しており、被測定者のポアンカレプロット分布が等脚台形のアウトラインとほぼ合致した場合には、被測定者の心拍ゆらぎは同姓・同年代の平均的な心拍ゆらぎとほぼ同等と直感的に判断が可能である。このような等脚台形を描画するためには、ｘ＝ｙに対象であるという性質上、図４で示すように２点の座標が決定できればよい。図４で（x1,y1）から（x2,y2)へ、(x2,y2)から（y2,x2）へ、（y2,x2）から（y1,x1）へ、（y1,x1）から（x1,y1）への４本の直線を引くことで、等脚台形が描画できる。
【００３０】
本実施形態では、平均的な分布を示すアウトラインとして等脚台形を用いたが、さらに多くの点データから一般的な心拍間隔プロット（ポアンカレプロット）に近い形状を表現することが可能であり、また１点のみの座標からそのｘ＝ｙの対象位置にある点と、原点の３点より形成される三角形を一般的な心拍間隔プロット（ポアンカレプロットのアウトライン）形状と近似することも可能である。
【００３１】
心拍間隔プロットグラフ（ポアンカレプロットグラフ）の１点を４バイト（Ｘ座標２バイト、Ｙ座標２バイト）で示すとすると、本実施例では各性別・年代別に２点の座標が決定できればよく、すべての場合のアウトラインデータを描画するためには、図３で示すように年代別で４種類、性別で２種類の全８通りとすると、平均的心拍間隔プロット（ポアンカレプロット）分布領域を記憶する参考データ記憶部（平均的心拍間隔グラフプロット記憶部）３８０には8×2×4＝64バイトのメモリ容量があればよい。
【００３２】
参考データ記憶部には、0番地から1番地の２バイトに男性・２０歳以下の平均的な心拍間隔プロット（ポアンカレプロット）のアウトライン形状のx1の値が、２番地から３番地に同じくy1の値が、４番地から５番地に同じくx2の値が、６番地から７番地にy2の値が記憶されており、同様のフォーマットで８〜１５番地に男性・２１〜３０歳の平均的なポアンカレプロットのアウトライン形状データが、１６〜２３番地に男性・３１〜５０歳、２４〜３１番地に男性・５１歳以上、３２〜３９番地に女性・２０歳以下、４０〜４７番地に女性・２１〜３０歳、４８〜５５番地に女性・３１〜５０歳、５６〜６３番地に女性・５１歳以上の各アウトライン形状データが記憶されているものとする。
【００３３】
制御部３５０では、被測定者情報入力部３７０からの信号に基づき、前述のデータ記憶フォーマット構成の参考データ記憶部３８０の該当する性別・年代の記憶されている番地からデータを読み出し、出力部３９０へ図６で示すような等脚台形を描画するように命令を出す。
【００３４】
被測定者情報入力部からの情報によって出力部がアウトライン形状を描画するまでのフローチャートを図５に示す。
【００３５】
始めに被測定者情報入力部より情報が入力される(S710)と、その情報が中断ボタン信号かどうかを判断し（S720）、中断ボタン信号であればアウトライン形状の描画は行わないまま処理を終了し、中断ボタン信号でなければ（確定ボタン信号であれば）、確定ボタン信号と共に送られた性別と年代の情報の読み取りを行う（S730）。読み取った情報のうち、性別の情報が０の場合は男性、１の場合は女性を示し、年代の情報が０の場合は２０歳以下、１の場合は２１〜３０歳、２の場合は３１〜５０歳、３の場合は５１歳以上を示すとすると、等脚台形アウトライン形状を描画するための２点の座標（x1,y2）、(x2,y2)のデータは、
x1：［性別情報］×32＋［年代情報］×８番地
y1：［性別情報］×32＋［年代情報］×８＋２番地
x2：［性別情報］×32＋［年代情報］×８＋４番地
y2：［性別情報］×32＋［年代情報］×８＋６番地
から、それぞれ２バイトの数値データとして読み込むことになる。このようにして、２点の座標データを読み込み（S740）、座標(x1,y1)から(x2,y2)へ直線描画を行い（S750）、座標(x2,y2)から(y2,x2)へ直線描画を行い（S760）、座標(y2,x2)から(y1,x1)へ直線描画を行い（S770）、座標(y1,x1)から(x1,y1)へ直線描画を行い（S780）、処理を終了する。
【００３６】
このような性別・各年代別の平均的な心拍間隔プロット（ポアンカレプロット）アウトライン情報を描画した後に、心拍間隔をリアルタイムで表示することも可能であるし、心拍間隔記憶部３６０に記憶されている被測定者の心拍間隔データから心拍間隔プロット（ポアンカレプロット）描画を行い、２つの描画が重畳されるようにすればよい。
【００３７】
図６は、心拍間隔データがmsec単位の２バイト整数型で構成され、心拍間隔記憶部内の０番地より順に記憶されており、０が記憶されている番地以降には測定データが存在しないような構成で心拍間隔記憶部にデータが記憶されている場合の、制御部内での出力部への描画処理の流れを示すものである。
【００３８】
図において、処理が開始される、まず心拍間隔記憶部の０番地から２バイト整数型のデータが読み込み変数aに代入される（S810）。次に変数aが０であれば、心拍間隔記憶部に心拍間隔データが記憶されていないため描画処理を中止するための判断処理を行う(S820)。
【００３９】
変数aはmsec単位のデータであるため、描画処理をするために出力部のスケールに変換する処理を行う必要がある。例えば出力部では縦横1024ドットの分解能を持ち、その全ての領域をポアンカレプロットとし、軸や目盛りなどの情報を全て描画せず、出力部での表示最小値を200msec、表示最大値を2000msecとすると、心拍間隔記憶部に記憶されているmsec単位のデータ（変数aとする）をこの出力部に対応したドット単位のデータ（変数yとする）に変換するには、
y＝(a − 200) / 1800 × 1024
とすればよい。
【００４０】
s810で読み込んだaを上の変換式を用いてドット単位のデータに変換する（s830）。続いて読み込んだデータ数である変数iを初期化する(S840)。iを逐次的に１ずつ増加（インクリメント）させ(S850)、心拍間隔記憶部の2i番地から２バイト整数型のデータが読み込み変数aに代入する（S860）。代入された変数aが０であれば、心拍間隔記憶部に心拍間隔データが記憶されていないため描画処理を中止するための判断処理を行い(S870)、変数aが０でなければ前述の変数aを変数yに変換した方法と同じ変換式を用いてドット単位のデータに変換する(s880)。なおこの場合のデータは変数ｘとする。続いて、一連の処理で求めた変数ｘと変数ｙの値を用いて２次元座標上（x，y）にプロットを行う処理を出力部３９０に対して行う(s890)。
【００４１】
新しいプロットの処理を行うため変数xを変数yに代入し（s891）、（s850）に戻る。
【００４２】
この処理を行うことによって、制御部から出力部へ順次心拍間隔プロット（ポアンカレプロット）１点毎の描画命令が送られることになる。
【００４３】
出力部では縦横1024×1024ドットの液晶を表示部分として、制御部から点のプロットや直線の描画命令などを受け、液晶表示部に表示すればよい。
【００４４】
なお出力部は液晶に限らず、ＣＲＴなどの他の表示装置でもよく、またプリンタやプロッタなどの紙等への出力機器を用いてもよい。例えばプリンタなどを用いる場合には、制御部にパーソナルコンピュータを用いて、出力部への描画命令は一般的なプリンタドライバへの命令とするだけで簡単に実現可能である。
【００４５】
本実施形態では、始めに性別・年代の被測定者情報入力、平均的心拍間隔プロット（ポアンカレプロット）アウトライン描画を行い、その後生体電極からの信号測定が開始され、リアルタイムで心拍間隔が測定される毎に被測定者心拍間隔プロット（ポアンカレプロット）描画を測定が終了されるまで行う処理手順で行ったが、本発明において処理の順序はこれに限ったわけではない。
【００４６】
例えば、生体電極からの信号測定を行い、心拍間隔データの測定・順次記憶、信号測定が終了した後、性別・年代の被測定者情報入力を行い、平均的心拍間隔プロット（ポアンカレプロット）アウトライン描画し、その画面上に記憶した被測定者の心拍間隔プロット（ポアンカレプロット）描画を行うようにしても良い。
【００４７】
また本実施形態においては、被測定者の比較分類として性別・年代を用いたが、飲酒・喫煙量や定期的なスポーツの実施など被測定者の日常生活などの傾向や、体脂肪率・体重・血糖値・尿糖値・血圧値・脂質代謝量などの生体情報を入力することでも同様の比較分類パラメータ（平均的心拍間隔プロットアウトライン）を表示することも可能である。
【００４８】
【発明の効果】
以上のように本発明の心拍間隔表示方法および心拍間隔表示装置によれば、被測定者のあてはまる平均的な基準データ領域と被測定者の心拍間隔情報に基づく心拍間隔プロット（ポアンカレプロット）表示が重畳表示されるので、心拍のゆらぎ成分から心臓の状態を簡便に把握出来ることが可能となる。
【００４９】
【図面の簡単な説明】
【図１】図１は、本発明の心拍間隔表示装置の構成を示すブロック図である。
【図２】図２は、本発明の心拍間隔表示装置において心拍測定から出力した波形データの加工例を示す図である。
【図３】図３は、本発明の心拍間隔表示装置の表示部の例を示す図である。
【図４】図４は、本発明の心拍間隔表示装置において、一般的な収集データ群と被測定者の収集データ群を分類可能とする特徴に基づいた被測定者が属するデータ群における平均的グラフプロット分布領域を示す図である。
【図５】図５は、被測定者情報入力部からの情報によって出力部がアウトライン形状を描画するまでのフローチャート
【図６】図６は、制御部内での出力部への描画処理を示すフローチャートである。
【図７】図７は、R-R間隔の心拍間隔プロット（ポアンカレプロット）方法について示す図である。
【図８】図８は、心拍間隔プロット（ポアンカレプロット）を説明する図である。
【図９】図９は、心拍間隔プロット（ポアンカレプロット）のプロットパターンを示す図である。
【符号の簡単な説明】
１００  被測定者
３００  心拍モニター
３１０  電極部
３２０  アンプ
３３０  心拍検出部
３４０  心拍間隔検出部
３５０  制御部
３６０  記憶部
３７０  表示部
３８０  開始スイッチ
６００  平均的な心拍間隔プロット（ポアンカレプロット）領域
【図１】
0004505096.tif 000002
【図２】
0004505096.tif 000003
【図３】
0004505096.tif 000004
【図４】
0004505096.tif 000005
【図５】
0004505096.tif 000006
【図６】
0004505096.tif 000007
【図７】
0004505096.tif 000008
【図８】
0004505096.tif 000009
【図９】
0004505096.tif 000010